(57)【特許請求の範囲】
【請求項１】
回路基板を収納する本体ケースと、
前記回路基板上に取り付けられた電源用コネクタと、
前記本体ケースに形成され、前記電源用コネクタの前部を前記本体ケースから露呈させて電源ラインに接続可能にする開口と、
前記回路基板上で前記電源用コネクタの近傍に配置され、前記電源ラインを通って侵入する電源ノイズを除去するラインノイズフィルタと、
前記回路基板に当接する少なくとも１個の突起が形成され、前記ラインノイズフィルタを覆ってシールドするシールド部と、前記電源用コネクタのフランジを前記本体ケースの内面に押し付ける押付部と、を有し、前記フランジを前記押付部と前記本体ケースとの間で挟み付けて前記電源用コネクタを保持するシールドケースと、
前記シールドケースを前記本体ケースに固定する固定手段と、
を備えることを特徴とする電子機器。
【請求項２】
前記電源用コネクタは、前記フランジの後方部分が前記シールドケースにより覆われることを特徴とする請求項１記載の電子機器。
【請求項３】
前記ラインノイズフィルタに近接して、前記回路基板上にフィルタコンデンサが配置され、このフィルタコンデンサは前記シールドケースにより覆われることを特徴とする請求項１または２記載の電子機器。
【請求項４】
前記固定手段は、前記本体ケースの外側から前記シールドケースにネジ止めされるネジであることを特徴とする請求項１ないし３いずれか１つ記載の電子機器。
【請求項５】
前記シールドケースには、前記電源用コネクタに取り付けられたグランド用ワイヤを挿通するワイヤ挿通孔が形成されていることを特徴とする請求項１ないし４いずれか１つ記載の電子機器。
【発明の詳細な説明】
【技術分野】
【０００１】
本発明は、電源用コネクタ及びラインノイズフィルタを有する電子機器に関するものである。
【背景技術】
【０００２】
電子機器、例えばＣＤプレーヤ（コンパクトディスクプレーヤ）では、本体ケース内にディスク装置や回路基板が収納されている。回路基板には、ディスク装置の制御回路や音声再生回路等が設けられている。また、回路基板には、電源ラインが接続される電源用コネクタが取り付けられ、この電源ラインを介してＣＤプレーヤが商用電源から供給される。電源用コネクタは、本体ケースの背面に形成された開口に一部が挿入されている。
【０００３】
電源ラインの一端に取り付けられたプラグを、電源用コネクタに押し込んだときに、本体ケースの内側に抜け落ちることがないように、電源用コネクタは固定板により本体ケースの内面に固定されている。
【０００４】
電源用コネクタを本体ケースに固定する場合には、特許文献１では、ケーブルを挟み込んだブッシュを、本体ケースの挿入孔に挿入し、ブッシュの外周部をロック金具で本体ケースに固定し、ロック金具が移動しないようにネジで本体ケースに固定している。また、特許文献２では、コードブッシュに形成された溝に固定補助板を挿入し、固定補助板をネジで本体ケースに固定している。
【０００５】
電源用コネクタに電源ラインを接続すると、電源ラインを通して電源ノイズが侵入する。この電源ノイズによってＣＤの再生時に音声信号が微妙に影響を受けるため、回路基板には、電源ノイズを除去するラインノイズフィルタが設けられている。
【特許文献１】特開平８−２０５３６７号公報
【特許文献２】実開平６−００９３２７号公報
【発明の開示】
【発明が解決しようとする課題】
【０００６】
回路基板にはコンデンサが設けられており、このコンデンサはノイズを発することがある。このノイズが、ラインノイズフィルタや電源コネクタに入ると、電源ラインを介して商用電源にノイズを送り出すことになる。この問題は、ラインノイズフィルタを、シールドケースで覆ってシールドすることで解決することができる。しかしながら、シールドケースを用いた場合には、シールドケースを、電源用コネクタの近傍で本体ケースに固定しなければならないため、この固定のためのスペースを確保することが難しい。また、シールドケースと電源用コネクタとの両方を本体ケースに固定する場合には、部品点数が増加し、コストアップになるという問題がある。
【０００７】
本発明は、上記課題を解決するためになされたものであり、部品点数の増加を防止しながら、ラインノイズフィルタをシールドすることができる電子機器を提供することを目的とする。
【課題を解決するための手段】
【０００８】
上記目的を達成するために、本発明の電子機器は、回路基板を収納する本体ケースと、前記回路基板上に取り付けられた電源用コネクタと、前記本体ケースに形成され、前記電源用コネクタの前部を前記本体ケースから露呈させて電源ラインに接続可能にする開口と、前記回路基板上で前記電源用コネクタの近傍に配置され、前記電源ラインを通って侵入する電源ノイズを除去するラインノイズフィルタと、前記回路基板に当接する少なくとも１個の突起が形成され、前記ラインノイズフィルタを覆ってシールドするシールド部と、前記電源用コネクタのフランジを前記本体ケースの内面に押し付ける押付部と、を有し、前記フランジを前記押付部と前記本体ケースとの間で挟み付けて前記電源用コネクタを保持するシールドケースと、前記シールドケースを前記本体ケースに固定する固定手段と、を備えることを特徴とする。なお、本発明の電子機器としては、ＣＤプレーヤ、ＤＶＤプレーヤ、ディスクドライブ、アンプ、コンバータ等が挙げられる。
【００１０】
さらに、前記電源用コネクタは、前記フランジの後方部分が前記シールドケースにより覆われることが好ましい。
【００１１】
また、前記ラインノイズフィルタに近接して、前記回路基板上にフィルタコンデンサが配置され、このフィルタコンデンサは前記シールドケースにより覆われることが好ましい。
【００１２】
さらに、前記固定手段は、前記本体ケースの外側から前記シールドケースにネジ止めされるネジであることが好ましい。
【００１３】
また、前記シールドケースには、前記電源用コネクタに取り付けられたグランド用ワイヤを挿通するワイヤ挿通孔が形成されていることが好ましい。
【発明の効果】
【００１５】
本発明によれば、シールドケースでラインノイズフィルタを覆っているから、ノイズが電源ラインを通って外部へ漏れ出るのを防止することができる。また、電源用コネクタを本体ケースに固定する代わりに、シールドケースを本体ケースに固定し、シールドケースと本体ケースとの間で電源用コネクタを保持するから、部品点数の増加を防止することができるとともに、シールドケースの取付スペースを容易に確保することができる。さらに、シールドケースの固定によって、電源用コネクタも同時に固定されるから、取付作業も容易となる。
【発明を実施するための最良の形態】
【００１６】
図１及び図２に示すように、ＣＤプレーヤ２は、本体ケース３の内部に、ディスク装置４が収納されている。ディスク装置４は、ＣＤ５を回転させるスピンドルモータ６と、ＣＤ５のデータ再生を行うピックアップヘッド７と、ピックアップベース８とを備える。スピンドルモータ６の駆動軸には、ＣＤ５が装着されるターンテーブル９が固定されている。このターンテーブル９には、チャッキングヘッド１０が設けられ、ＣＤ５のディスク孔５ａに挿入される。ディスク孔５ａに挿入されたチャッキングヘッド１０が、本体ケース３内部に設けられたクランパ（図示せず）に吸着されるから、ＣＤ５はターンテーブル９とクランパとの間で挟持された状態となる。
【００１７】
ピックアップヘッド７は、レーザ光を放出するレーザ光源（図示せず）と、レーザ光をＣＤ５の記録面に集光する対物レンズ１２とが組み込まれている。ピックアップヘッド７は、ピックアップベース８に取り付けられた保持シャフト１３に移動自在に保持されている。ピックアップヘッド７は、モータ及びギア等を有する周知の移動機構により、ＣＤ５の径方向であるＡ方向に移動される。
【００１８】
本体ケース３には、ディスクトレイ１５が引出し可能に取り付けられている。ディスクトレイ１５は、図１に示すように、ＣＤ５の再生時に本体ケース３内部に格納される格納位置と、図２に示すように、本体ケース３から引き出された引出し位置との間で移動する。ディスクトレイ１５は、モータ及びギア等を有する周知のトレイ移動機構により移動される。
【００１９】
本体ケース３は、ベース２１と、前面外装パネル２２と、側面外装パネル２３とから構成される。ベース２１は、ディスク装置４の下面及び後面を覆う下面板２４及び後面板２５から構成されている。前面外装パネル２２は、ベース２１に固定され、ディスク装置４の前面を覆う。側面外装パネル２３は、上面外装パネルと一体化された略コ字状に形成され、ディスク装置４の左右側面及び上面を覆う。なお、側面外装パネル２３と上面外装パネルとを分離し、それぞれ個別に形成して組み付ける構成としてもよい。
【００２０】
前面外装パネル２２には、電源ボタン２６、ディスクトレイ１５を開閉するための開閉ボタン２７、再生ボタン２８、停止ボタン２９等の各種操作ボタンが設けられている。
【００２１】
図３に示すように、本体ケース３の内部には、回路基板３０が配されている。回路基板３０には、ディスク装置４の制御回路や音声信号再生回路等が設けられている。図３では、便宜上、電源用コネクタ３１、ラインノイズフィルタ３２、ラインノイズフィルタ３２に接続されたフィルタコンデンサ３３、ＣＰＵ３４、コンデンサ３５を図示してある。フィルタコンデンサ３３は、ラインノイズフィルタ３２と共にラインノイズを吸収するためのコンデンサであり、ラインノイズフィルタ３２の前後に１個ずつ取り付けられている。
【００２２】
電源用コネクタ３１には、電源ライン３６の一端に取り付けられた電源用プラグ３７が接続される。電源ライン３６の他端は商用電源に接続されている。
【００２３】
電源用コネクタ３１は、挿入部３１ａと、フランジ３１ｂと、本体部３１ｃとから構成される。挿入部３１ａには、電源ライン３６の電源用プラグ３７が挿入される。フランジ３１ｂは、本体ケース３の内面（後面板２５の内面）に押し付けられる。本体部３１ｃには、グランド用ワイヤ３８が接続されている。
【００２４】
後面板２５には、挿入部３１ａが嵌合するコネクタ用開口２５ａが形成されている。また、後面板２５には、ネジ３９が挿通されるネジ挿通孔２５ｂが形成されている。ネジ挿通孔２５ｂは、コネクタ用開口２５ａの左右に１個ずつ形成されている。
【００２５】
回路基板３０の四隅には、ネジ４１が挿通されるネジ挿通孔３０ａが形成されている。下面板２４の四隅には、回路基板３０を受ける受けボス４２が形成されている。受けボス４２には、ネジ４１に螺合するネジ孔４２ａが形成されている。
【００２６】
後面板２５には、金属、例えば鋼板に銅メッキ処理を施したシールドケース４５が固定される。図４及び図５に示すように、シールドケース４５は、箱状のシールド部４５ａと、電源用コネクタ３１を後面板２５に押し付けて保持するための押付部４５ｂと、固定部４５ｃとから構成されている。シールド部４５ａは、電源用コネクタ３１の本体部３１ｃ、ラインノイズフィルタ３２及びフィルタコンデンサ３３を覆ってシールドする。固定部４５ｃは、後面板２５に固定される。
【００２７】
シールド部４５ａには、回路基板３０に当接する突起４５ｄが形成されている。シールドケース４５は、この突起４５ｄのみ回路基板３０に当接する。これにより、突起４５ｄが当接する部分以外には、配線パターンを設けることができる。
【００２８】
シールド部４５ａには、電源用コネクタ３１に接続されているグランド用ワイヤ３８を挿通するワイヤ挿通孔４５ｅが形成されている。
【００２９】
固定部４５ｃは、押付部４５ｂよりも前面側に突出して形成されており、押付部４５ｂの左右に１個ずつ設けられている。固定部４５ｃには、ネジ３９に螺合するネジ孔４５ｆが形成されている。
【００３０】
回路基板３０を下面板２４に固定するときには、図６（Ａ）に示すように、挿入部３１ａをコネクタ用開口２５ａに嵌合した状態で、回路基板３０を受けボス４２に載せる。そして、ネジ４１を、ネジ挿通孔３０ａを介してネジ孔４２ａに螺合する。
【００３１】
シールドケース４５を固定するときには、図６（Ｂ）に示すように、シールド部４５ａを、本体部３１ｃ、ラインノイズフィルタ３２及びフィルタコンデンサ３３を覆うように上から被せ、グランド用ワイヤ３８をワイヤ挿通孔４５ｅに挿通する。そして、ネジ３９を、ネジ挿通孔２５ｂを介してネジ孔４５ｆに螺合する。ネジ３９をネジ孔４５ｆに螺合させ、固定部４５ｃを後面板２５に固定すると、押付部４５ｂは、フランジ３１ｂに当接して、フランジ３１ｂを後面板２５の内面に押し付ける。これにより、電源用コネクタ３１を、後面板２５の内面との間で挟み付けて保持することができる。また、シールドケース４５は、突起４５ｄのみ回路基板３０に当接する。ワイヤ挿通孔４５ｅを挿通されたグランド用ワイヤ３８の先端は、側面外装パネル２３の内面に取り付けられる。
【００３２】
次に、ＣＤプレーヤ２の作用について説明する。ＣＤプレーヤ２を使用するときには、コネクタ用開口２５ａから露呈している電源用コネクタ３１に、電源用プラグ３７を押し込みながら挿入する。電源用コネクタ３１は、シールドケース４５と後面板２５との間に保持されているため、電源用プラグ３７を押し込みながら挿入したときにも、電源用コネクタ３１が本体ケース３の内側へ抜け落ちることがない。
【００３３】
電源用プラグ３７を電源用コネクタ３１に挿入すると、電源ライン３６を通して供給される電力に乗って電源ノイズが侵入するが、この電源ノイズはラインノイズフィルタ３２で除去される。これにより、電源ノイズが回路基板３０の各回路に影響を及ぼすことがない。
【００３４】
ラインノイズフィルタ３２を介して入力された電力は、トランス（図示せず）で変圧されて、各部へ給電される。ディスク装置４は、ターンテーブル９でＣＤ５を回転させ、ピックアップヘッド７でデータを再生するが、この再生中にコンデンサ３５からノイズが発生することがある。このノイズは、シールドケース４５で遮断され、ラインノイズフィルタ３２及び電源用コネクタ３１に侵入することがない。これにより、ノイズが回路基板３０内に送られたり、あるいは、電源ライン３６から外部へ送り出されることがない。
【００３５】
なお、上記実施形態では、ネジ３９によりシールドケース４５を後面板２５に固定したが、固定ピン等により固定してもよい。
【図面の簡単な説明】
【００３６】
【図１】本発明を実施したＣＤプレーヤの外観斜視図である。
【図２】本体ケースの内部を示す平面図である。
【図３】下面板と後面板と回路基板とシールドケースとを示す分解斜視図である。
【図４】電源用コネクタとシールドケースとを示す分解斜視図である。
【図５】シールドケースの底面を上にした斜視図である。
【図６】（Ａ）は回路基板を下面板に固定した状態を示す平面図であり、（Ｂ）はシールドケースを後面板に固定した状態を示す平面図である。
【符号の説明】
【００３７】
２  ＣＤプレーヤ（電子機器）
３  本体ケース
２５  後面板
２５ａ  コネクタ挿入開口
３０  回路基板
３１  電源用コネクタ
３１ｂ  フランジ
３２  ラインノイズフィルタ
３３  フィルタコンデンサ
３５  コンデンサ
３６  電源ライン
３８  グランド用ワイヤ
３９  ネジ
４５  シールドケース
４５ａ  シールド部
４５ｂ  押付部
４５ｄ  突起
４５ｅ  ワイヤ挿通孔
【図１】
0005403203.tif 000002
【図２】
0005403203.tif 000003
【図３】
0005403203.tif 000004
【図４】
0005403203.tif 000005
【図５】
0005403203.tif 000006
【図６】
0005403203.tif 000007